(57)【特許請求の範囲】
【請求項１】
少なくとも２つのディジタル情報信号の各々が連続サンプルから成る少なくとも第１と第２のディジタル情報信号をデータ圧縮するためのデータ圧縮装置であって、該装置が：
−前記第１及び第２ディジタル情報信号を受信するための手段と、
−前記第１及び第２ディジタル情報信号を組合わせて複合情報信号を得るようにする信号組合わせ手段と、
−前記複合情報信号をデータ圧縮して、データ圧縮された複合情報信号を得るようにするデータ圧縮手段と、
−前記データ圧縮複合情報信号を供給するための出力手段と、
を具えているデータ圧縮装置において、前記信号組合わせ手段が、前記第１及び第２情報信号の交互のサンプルを１つのデータ流に併合して前記複合情報信号を得るようにする併合手段を具え、前記データ圧縮手段が制御信号受信用の制御入力端子を有し、前記データ圧縮手段が、前記制御信号に応答して前記複合情報信号をデータ圧縮すべく構成され、前記制御信号を発生するのに制御信号発生手段を利用し、前記複合情報信号を受信するための入力端子を有している前記制御信号発生手段が、前記複合情報信号に応答して前記制御信号を発生すべく構成されるようにしたことを特徴とするデータ圧縮装置。
【請求項２】
前記制御信号が前記複合信号の統計的パラメータを表すようにしたことを特徴とする請求の範囲１に記載のデータ圧縮装置。
【請求項３】
ｎ≧２とするｎ個の多数のディジタル情報信号をデータ圧縮するために、前記信号組合わせ手段が、前記ｎ個の各ディジタル情報信号の１つずつの交互のサンプルを前記複合情報信号に周期的に併合すべく構成されるようにしたことを特徴とする請求の範囲１又は２に記載のデータ圧縮装置。
【請求項４】
前記データ圧縮手段を無損失の圧縮手段で構成したことを特徴とする請求の範囲１，２又は３に記載の装置。
【請求項５】
前記データ圧縮手段が、前記複合情報信号に対して予測工程を実施して残留複合信号を得るようにする予測手段も具え、前記無損失圧縮手段が前記データ圧縮複合情報信号を得るように残留複合信号に対して無損失圧縮工程を行なうべく構成されるようにしたことを特徴とする請求の範囲４に記載の装置。
【請求項６】
前記無損失圧縮手段をハフマン・タイプのエンコーダ又は算術コーダで構成したことを特徴とする請求の範囲４又は５に記載の装置。
【請求項７】
データ圧縮されたディジタル情報信号を伝送媒体を介して伝送する送信機において、該送信機が請求の範囲１〜６のいずれかに記載のデータ圧縮装置を具え、前記送信機がさらに、前記データ圧縮された複合情報信号を前記伝送媒体に供給する手段も具えていることを特徴とする送信機。
【請求項８】
前記送信機がさらに、前記データ圧縮複合情報信号を前記伝送媒体へ供給する前に前記データ圧縮複合情報信号を誤り補正符号化及び／又はチャネル符号化するために、誤り補正符号化手段及び／又はチャネル符号化手段を具えていることを特徴とする請求の範囲７に記載の送信機。
【請求項９】
記録担体上のトラックにデータ圧縮された複合情報信号を記録するための記録装置形式のもので、前記記録担体上に前記データ圧縮された複合情報信号を書込むための書込み手段を具えている請求の範囲７又は８に記載の送信機。
【請求項１０】
少なくとも第１と第２のディジタル情報信号から得られるデータ圧縮された複合情報信号をデータ伸長するためのデータ伸長装置であって、該装置が、
−前記データ圧縮された複合情報信号を受信するための入力手段と、
−前記データ圧縮された複合情報信号をデータ伸長してデータ伸長複合情報信号を得るようにするデータ伸長手段と、
−前記データ伸長複合情報信号から前記第１及び第２ディジタル情報信号のレプリカを検索する検索手段と、
−少なくとも前記第１及び第２ディジタル情報信号のレプリカを供給する出力手段と、
を備えているデータ伸長装置において、前記データ伸長複合情報信号が、周期的な、前記少なくとも第１と第２のディジタル情報信号の少なくとも１つずつのサンプルを有し、前記検索手段が、前記少なくとも第１及び第２ディジタル情報信号の前記レプリカを得るように前記データ伸長された複合信号からサンプルを検索すべく構成され、前記データ伸長手段が制御信号受信用の制御入力端子を有し、前記データ伸長手段が前記制御信号に応答して前記データ伸長された複合情報信号を得るように前記データ圧縮された複合情報信号をデータ伸長すべく構成され、前記制御信号を発生するのに制御信号発生手段を利用することを特徴とするデータ伸長装置。
【請求項１１】
前記制御信号が前記データ伸長複合信号の統計的パラメータを表すようにしたことを特徴とする請求の範囲１０に記載のデータ伸長装置。
【請求項１２】
ｎ≧２とするｎ個の多数のディジタル情報信号から得られるデータ圧縮された複合情報信号をデータ伸長するために、前記検索手段が、前記データ伸長された複合情報信号から前記ｎ個の各ディジタル情報信号の１つずつの交互のサンプルを周期的に検索すべく構成されるようにしたことを特徴とする請求の範囲１０又は１１に記載のデータ圧縮装置。
【請求項１３】
前記データ伸長手段を無損失の伸長手段で構成したことを特徴とする請求の範囲１０，１１又は１２に記載の装置。
【請求項１４】
前記データ伸長手段がさらに、前記無損失の伸長手段によって供給される信号に対して予測工程を行なって、前記データ伸長複合情報信号を得るようにする予測手段も具えていることを特徴とする請求の範囲１３に記載の装置。
【請求項１５】
データ圧縮された複合情報信号を伝送媒体から受信する受信機において、該受信機が請求項１０〜１４のいずれかに記載のデータ伸長装置を具え、該受信機がさらに、前記伝送媒体からの前記データ圧縮された複合信号を検索するための手段も具えていることを特徴とする受信機。
【請求項１６】
前記受信機がさらに、前記データ圧縮された複合情報信号をデータ伸長する前に前記データ圧縮された複合情報信号をチャネル符号化及び／又は誤り補正するために、チャネル符号化手段及び／又は誤り補正手段を具えていることを特徴とする請求の範囲１５に記載の受信機。
【請求項１７】
記録担体上のトラックからデータ圧縮された復合情報信号を再生するための再生装置形式のもので、記録担体からデータ圧縮された複合情報信号を読取る読取り手段を具えている請求項１５又は１６に記載の受信機。
【請求項１８】
少なくとも２つのディジタル情報信号の各々が連続サンプルから成る少なくとも第１と第２のディジタル情報信号をデータ圧縮する方法であって、該方法が：
−１つのデータ流に交互に併合される第１と第２のディジタル情報信号のサンプルを有している複合情報信号を受信する工程と、
−前記複合情報信号から制御信号を発生させる工程と、
−前記制御信号に応答して、データ圧縮された複合情報信号を得るように前記複合情報信号をデータ圧縮する工程と、
−前記データ圧縮複合情報信号を供給する工程と、
を具えていることを特徴とするデータ圧縮方法。
【請求項１９】
前記受信工程が、
−前記第１及び第２ディジタル情報信号を受信するサブ工程と、
−前記第１及び第２ディジタル情報信号の交互のサンプルを１つのデータ流に併合して前記複合情報信号を得るようにする併合サブ工程と、
を含むことを特徴とする請求の範囲１８に記載の方法。
【請求項２０】
少なくとも第１と第２のディジタル情報信号から得られるデータ圧縮された複合情報信号をデータ伸長する方法において、該方法が、
−前記データ圧縮された複合情報信号を受信する工程と、
−１つのデータ流に交互に併合される第１と第２のディジタル情報信号のサンプルから成るデータ伸長複合情報信号を得るように制御信号に応答して前記データ圧縮複合情報信号をデータ伸長する工程と、
−前記データ伸長複合情報信号から前記制御信号を発生させる工程と、
を具えているデータ伸長方法。
【請求項２１】
−前記データ伸長複合信号から少なくとも第１と第２のディジタル情報信号のレプリカを得るように個々のサンプルを検索する工程と、
−少なくとも第１及び第２ディジタル情報信号のレプリカを供給する工程
も具えていることを特徴とする請求の範囲２０に記載の方法。
【発明の詳細な説明】
本発明は、少なくとも２つのディジタル情報信号の各々が連続サンプルから成る少なくとも第１と第２のディジタル情報信号をデータ圧縮するためのデータ圧縮装置であって、該装置が：
−前記第１及び第２ディジタル情報信号を受信するための手段と、
−前記第１及び第２ディジタル情報信号を組合わせて複合情報信号を得るようにする信号組合わせ手段と、
−前記複合情報信号をデータ圧縮して、データ圧縮された複合情報信号を得るようにするデータ圧縮手段と、
−前記データ圧縮複合情報信号を供給するための出力手段と、
を具えているデータ圧縮装置と、少なくとも第１と第２のディジタル情報信号から得られるデータ圧縮された複合情報信号をデータ伸長するためのデータ伸長装置であって、該装置が、
−前記データ圧縮された複合情報信号を受信するための入力手段と、
−前記データ圧縮された複合情報信号をデータ伸長してデータ伸長複合情報信号を得るようにするデータ伸長手段と、
−前記データ伸長複合情報信号から前記第１及び第２ディジタル情報信号のレプリカを検索する検索手段と、
−少なくとも前記第１及び第２ディジタル情報信号のレプリカを供給する出力手段と、
を具えているデータ伸長装置と、前記データ圧縮装置を具えている送信機と、前記データ伸長装置を具えている受信機と、データ圧縮方法と、データ伸長方法と、記録担体とに関するものである。
ステレオオーディオ信号をデータ圧縮することは当業者に周知である。この点については後記関連文献リストにおける文献Ｄ１のＥＰ−Ａ４０２，９７３を参照。この文献にはサブバンドのコーダが記載されており、この場合にはステレオオーディオ信号の左側と右側の各信号成分を４４．１ｋＨｚのような或る特定のサンプリング周波数でＡ／Ｄ変換し、これにて得られる例えばオーディオ信号の２４ビット幅のワード形態のサンプルをサブバンドのスプリッタフィルタへ供給するようにしている。サブバンドのスプリッタフィルタはオーディオ信号成分を複数の比較的狭帯域のサブバンド信号に分割する。次に精神音響モデルを用いて、或るマスクされたしきい値を導出し、その後にサブバンド信号のサンプルから成るそれぞれのブロックを、前記マスクされたしきい値に応答して、サブバンド信号の各ブロックに対するサンプル当たりの或る特定のビット数で量子化することにより、伝送すべきオーディオ信号を有意義にデータ圧縮する。このようにして行われるデータ圧縮はオーディオ信号における聞き取れない成分を「捨てる」ことに基づいており、従ってこのデータ圧縮は損失のある圧縮法である。
強ステレオモードでは、同じサブバンド内でステレオオーディオ信号の左側と右側の信号成分のサブバンド信号のサンプルを組合わせ、これらのサンプルを複合サブバンド信号のサンプルを得るように加算し、且つこの複合サブバンド信号についてデータ圧縮を行なうことによりデータをさらに整理することができる。
文献Ｄ１に記載されているデータ圧縮法は多少知的なデータ圧縮法であり、これをハードウェア又はソフトウェアで実現する場合には、それぞれかなりの数のゲート又は命令を必要とするために費用がかかる。さらに、後のデータ伸長装置もハードウェア又はソフトウェアで実現する場合に、それぞれかなりの数のゲート又は命令を必要とする。
本発明の目的は、情報信号を無損失コーダの如き簡単なデータ圧縮器で、より簡単な方法でデータ圧縮できるように少なくとも第１と第２のディジタル情報信号をデータ圧縮するデータ処理装置を提供することにある。さらに、対応する伸長装置ももっと簡単に、しかも安価とすることができる。
本発明によるデータ圧縮装置は、少なくとも２つのディジタル情報信号の各々が連続サンプルから成る少なくとも第１と第２のディジタル情報信号をデータ圧縮するためのデータ圧縮装置であって、該装置が：
−前記第１及び第２ディジタル情報信号を受信するための手段と、
−前記第１及び第２ディジタル情報信号を組合わせて複合情報信号を得るようにする信号組合わせ手段と、
−前記複合情報信号をデータ圧縮して、データ圧縮された複合情報信号を得るようにするデータ圧縮手段と、
−前記データ圧縮複合情報信号を供給するための出力手段と、
を具えているデータ圧縮装置において、前記信号組合わせ手段が、前記第１及び第２情報信号の交互のサンプルを１つのデータ流に併合して前記複合情報信号を得るようにする併合手段を具え、前記データ圧縮手段が制御信号受信用の制御入力端子を有し、前記データ圧縮手段が、前記制御信号に応答して前記複合情報信号をデータ圧縮すべく構成され、前記制御信号を発生するのに制御信号発生手段を利用し、前記複合情報信号を受信するための入力端子を有している前記制御信号発生手段が、前記複合情報信号に応答して前記制御信号を発生すべく構成されるようにする。
データ圧縮装置、これに対応するデータ伸長装置、データ圧縮装置を具えている送信機、データ伸長装置を具えている受信機及び記録担体の好適例は従属請求項に記載した通りである。
本発明のこうした要点及び他の要点を次に図面を参照して実施例につき説明して明らかにする。ここに、
図１はデータ圧縮装置の実施例を示し、
図２はデータ圧縮装置の他の実施例を示し、
図３は併合ユニットの他の例を示し、
図４は記録担体上にデータ圧縮された複合信号を記録する記録装置に組込んだ図１のデータ圧縮装置を示し、
図５は伝送媒体を介してデータ圧縮複合信号を伝送する送信装置に組込んだデータ圧縮装置を示し、
図６は誤り補正エンコーダ及びチャネルエンコーダをさらに設けた記録装置の他の実施例を示し、
図７はデータ圧縮複合信号を元の情報信号のレプリカにデータ伸長するデータ伸長装置の実施例を示し、
図８はデータ伸長装置の他の実施例を示し、
図９は検索ユニットの他の例を示し、
図１０は記録担体からデータ圧縮複合信号を再生する再生装置に組込んだ図７のデータ伸長装置を示し、
図１１は伝送媒体からデータ圧縮複合信号を受信する受信装置に組込んだ図７のデータ伸長装置を示し、
図１２はチャネルデコーダ及び誤り補正ユニットも設けた再生装置の他の実施例を示す。
図１は本発明によるデータ圧縮装置の実施例を示し、この圧縮装置は第１ディジタル情報信号のサンプルＬ0，Ｌ1，Ｌ2，・・・を受信するための入力端子１と、第２ディジタル情報信号のサンプルＲ0，Ｒ1，Ｒ2，・・・を受信するための入力端子２とを具えている。本例では、第１及び第２ディジタル情報信号をステレオオーディオ信号のそれぞれ左側と右側の信号成分とする。
入力端子１を併合ユニット６の第１入力端子３に結合させ、入力端子２を併合ユニット６の第２入力端子４に結合させる。併合ユニット６の出力端子８はデータ圧縮ユニット１２の入力端子１０に結合させ、このデータ圧縮ユニットの出力端子１４をデータ圧縮装置の出力端子１６に結合させる。さらに、制御信号発生ユニット１８も利用し、このユニットの入力端子を併合ユニット６の出力端子８に結合させ、ユニット１８の出力端子をデータ圧縮ユニット１２の制御信号入力端子１９に結合させる。
図１の装置は次のように機能する。ステレオオーディオ信号の左側と右側の信号成分のサンプルが併合ユニット６に供給され、この併合ユニットはこれらのサンプルを１つの複合データ流となるように併合し、この複合信号におけるサンプルが次のようなシーケンスで配列されるようにする。即ち、
Ｌ0，Ｒ0，Ｌ1，Ｒ1，Ｌ2，Ｒ2，Ｌ3，・・・
このようにして得られた複合信号がデータ圧縮ユニット１２に供給され、この圧縮ユニットはハフマン・タイプのエンコーダ又は算術コーダの如き損失のないデータ圧縮エンコーダ形式のものとするのが好適である。
無損失エンコーダの利点は、これらが、或る無損失デコーダによるデータ伸長後に、元の情報信号を実質上損失なく再構成し得るように情報信号をデータ圧縮することができることにある。このことは圧縮−伸長後に実質上情報の損失がないことを意味する。無損失コーダは可変長コーダ形式のものとすることができる。可変長コーダは当業者に周知のものである。このような可変長コーダの例には（既に述べた）ハフマンコーダ、算術コーダ及びレンペル−ジブ（Lempel-Ziv）コーダがある。なお、斯種の可変長コーダについては、後記関連文献リストにおける文献Ｄ２のD.A.Huffmanの論文“A method for the construction of minimum-redundancy codes”、後記関連文献リストにおける文献Ｄ３のG.G.Langdonの論文“An introduction to arithemetic coding”及び後記関連文献リストにおける文献Ｄ４のJ.Ziv外による論文“A universal algorithm for sequential data compression”に記載されている。
データ圧縮ユニット１２は、その制御入力端子１９に供給される制御信号の制御下にて複合信号に関するデータ圧縮工程を行なって、これに応答して出力端子１４にデータ圧縮された複合信号を発生する。
制御信号発生ユニット１８は併合ユニット６の出力端子８に現われる複合信号に応答して制御信号を発生する。圧縮ユニット１２をハフマンエンコーダ形式のものとする場合には、入力端子１９における制御信号は、或る特定の振幅を有するサンプルの発生確率を表す統計的信号とする。圧縮ユニット１２を算術コーダ形式のものとする場合には、同上の制御信号は複合信号におけるサンプルの発生確率を表す統計的信号とする。
図１の装置で得られた圧縮比と、２つのディジタル情報信号を別々にデータ圧縮して得られた圧縮比とを比較してみたら、図１の装置の方が４％優れた性能を呈することが判明した。
データ圧縮はブロック単位で行なうことができる。複合情報信号の複数のサンプルから成るそれぞれのブロックをデータ圧縮ユニット１２によってデータ圧縮することができる。このようなブロックは、これらのブロックが先ず第１情報信号のサンプル（Ｌi）と、これに後続する第２情報信号のサンプル（Ｒi）とから成るように得ることができる。それぞれのブロックには同期ワードを先行させることができる。これにより後に、対応するデータ伸長装置での受信時に複合信号を別々の情報信号に分割することができる。
図２は本発明による圧縮装置の他の実施例を示す。この図２の圧縮装置は図１の装置にかなり似ている。図２の装置は図１につき既に説明した構成要素を全て具えており、それ以外に併合ユニット６とデータ圧縮ユニット１２との間に結合させた予測ユニット２０を具えている。予測ユニット２０は予測器２２と、減算器形式の信号合成ユニット２４とを具えている。予測器はその入力端子に供給される信号を予測し、これにて予測したものをその出力端子に供給する。信号合成ユニット２４は予測したものから元の複合信号を差し引いて、残留信号を得るようにし、この残留信号は予測ユニット２０の出力端子２６へ供給される。
図２にはさらに、もっと精巧な制御信号発生ユニット１８′を示してあり、このユニットは予測器２２とコンバータユニット２１とを直列に接続して構成する。コンバータユニット２１は予測器２２の出力信号からデータ圧縮ユニット１２用の制御信号として用いられる統計的信号を発生する。
なお、予測ユニット２０における予測器２２及び信号合成ユニット２４の回路構成は、図２に示した回路構成とは異なる構成とすることもできることに留意すべきである。例えば、予測器２２は図８にも示すように、信号合成ユニット２４の出力端子からこの合成ユニット２４の第２入力端子への帰還路内に結合させることができる。このような例では、予測器２２が残留信号から合成ユニット２４の第１入力端子に供給される信号を予測したものを発生する。
データ圧縮装置のさらに他の例の併合ユニットを図３に示してある。この図３の併合ユニット６′は３つの情報信号を１つの複合信号に併合することができる。本例では、３つの情報信号をステレオオーディオ信号の左側と右側の信号成分及び対応する中央信号とする。それぞれのサンプルは次のように複合信号の１つのデータ流に併合される。
Ｌ0，Ｒ0，Ｃ0，Ｌ1，Ｒ1，Ｃ1，Ｌ2，Ｒ2，Ｃ2，・・・
他のシーケンスも同様に発生させることができる。別の順序とするか、又は例えば常に同じ信号の２つづつのサンプルを併合させるようにすることもできる。
図４は図２に示した予測ユニットを含めることができる図１に示したデータ圧縮装置を具えている記録装置の実施例を示す。この記録装置は記録担体５２上のトラックにデータ圧縮された複合信号を書込むための書込みユニット５０も具えている。本例では、記録担体５２を磁気記録担体とするため、書込みユニット５０は記録担体５２にデータ圧縮複合信号を書込むための少なくとも１個の磁気ヘッド５４を具えている。しかし、記録担体はＣＤディスク又はＤＶＤディスクのような光学記録担体とすることもできる。
図５は伝送媒体ＴＲＭを介してデータ圧縮複合信号を伝送するための送信機の実施例を示し、この送信機は図２に示した予測ユニットを含めることができる図１に示したようなデータ圧縮装置を具えている。この送信機はさらに、データ圧縮複合信号を伝送媒体ＴＲＭへ供給する送信ユニット６０も具えている。送信ユニット６０にはアンテナ６２を設けることができる。
無線周波リンクの如き伝送媒体又は記録担体を介しての信号伝送には一般に、伝送すべきデータ圧縮複合信号に関しての誤り補正符号化及びチャネル符号化を行なう必要がある。図６は図４の記録装置用のデータ圧縮複合信号に対して行なう斯様な信号処理工程を示す。従って、図６の記録装置は当業者に周知の誤り補正エンコーダ５６及び同じく当業者に周知のチャネルエンコーダ５８を具えている。
図７は本発明によるデータ伸長装置の実施例を示し、この装置はデータ圧縮された複合信号をステレオオーディオ信号の元の左側と右側の信号成分のレプリカに再変換することができる。この装置は図１のデータ圧縮装置によって供給されるようなデータ圧縮複合信号を受信するための入力端子７０を有している。入力端子７０はデータ伸長ユニット７４の入力端子７２に結合され、このユニットの出力端子７６は検索ユニット８０の入力端子７８に結合されている。検索ユニット８０は第１及び第２出力端子８６及び８８にそれぞれ結合される２つの出力端子８２及び８４を有している。
データ伸長ユニット７４は制御信号受信用の制御入力端子７３を有している。
データ伸長ユニット７４は、前記制御信号入力端子７３に供給される制御信号に応答してデータ圧縮複合情報信号をデータ展開して、その出力端子７６にデータ伸長複合情報信号を得るようにするのに用いられる。制御信号発生ユニット７５を設け、このユニットの入力端子を伸長ユニット７４の出力端子に結合させ、ユニット７５の出力端子を伸長ユニット７４の入力端子７３に結合させる。
図７の装置は入力端子７０を経てデータ伸長ユニット７４の入力端子７２に供給されるデータ圧縮された複合信号を受信する。データ伸長ユニット７４はデータ圧縮複合信号についてデータ伸長工程を行ない、このデータ伸長工程は図１のデータ圧縮ユニット１２によって行なうデータ圧縮工程とは逆の信号処理をする。従って、元の複合信号のレプリカが発生し、これが出力端子７６に供給される。複合信号のレプリカは検索ユニット８０に供給される。検索ユニット８０は、その入力端子に供給されるデータ流を２つのデータ流に分け、複合信号における奇数番のサンプルを一方の出力端子、例えば出力端子８２に供給し、偶数番のサンプルを他方の出力端子に供給する。これによりステレオオーディオ信号の左側と右側の信号成分のレプリカが端子８６及び８８にそれぞれ出現することになる。
制御信号発生器７５は前記データ伸長された複合情報信号に応答して前記制御信号を発生する。
図８は本発明による伸長装置の他の実施例を示す。この図８の伸長装置は図７の装置にかなり似ている。図８の装置は図７につき述べた構成要素を全て具えており、それ以外に、データ伸長ユニット７４と検索ユニット８０との間に結合した予測ユニット９０及びコンバータユニット７７も具えている。予測ユニット９０は予測器９２及び加算器形式の信号合成ユニット９４を具えている。予測器９２はその入力端子に供給される信号の予測値を発生し、この予測値を出力端子に供給する。信号合成ユニット９４は元の残留複合信号のレプリカを複合信号の予測値に加えて、複合信号のレプリカを得るようにし、これを予測ユニット９０の出力端子９６に供給する。
図８にはさらに精巧な制御信号発生ユニット７５′も示してあり、このユニットは予測器９２とコンバータユニット７７とを直列に接続して構成する。コンバータユニット７７は予測器の出力信号からデータ伸長ユニット７４用の制御信号として用いられる統計的信号を発生する。
なお、図８の例における予測ユニット９０は図２に示したような回路構成とすることもできる。
データ伸長装置の他の例の検索ユニットを図９に示してある。図９の検索ユニット８０′は複合信号のレプリカから３つの情報信号を検索することができる。
本例では、３つの情報信号をステレオオーディオ信号の左側と右側の信号成分及び対応する中央信号とする。
図１０は再生装置に組込んだ図７のデータ伸長装置を示す。この再生装置は記録担体５２上のトラックからデータ圧縮複合信号を読取るための読取りユニット１００も具えている。本例では、記録担体５２を磁気記録担体とするため、読取りユニット１００は記録担体５２からデータ圧縮複合信号を読取るための少なくとも１個の磁気ヘッド１０２を具えている。しかし記録担体は、ＣＤディスク又はＤＶＤディスクの如き光学記録担体とすることもできる。
図１１はデータ圧縮された複合信号を伝送媒体ＴＲＭを経て受信するための受信機の例を示し、これは図７に示したようなデータ伸長装置を具えている。この受信機は伝送媒体ＴＲＭからデータ圧縮複合信号を受信するための受信ユニット１０５も具えている。受信ユニット１０５にはアンテナ１０７を設けることができる。
前述したように、無線周波リンク又は記録担体の如き伝送媒体を介しての信号伝送には一般に、伝送すべき残留信号について誤り補正符号化及びチャネル符号化を行なう必要があるため、受信時にはそれに対応するチャネル復号化及び誤り補正を行なうことができる。図１２は図１０の再生装置用の読取り手段１００によって受信される信号について行われるチャネル復号化及び誤り補正の信号処理工程を示す。従って、図１２の再生装置は当業者に周知のチャネルデコーダ１１０及び同じく当業者に周知の誤り補正ユニット１１２を具えて、データ圧縮された複合信号のレプリカを得るようにする。
本発明を好適実施例につき説明したが、本発明はこれらの例のみに限定されるものでなく、請求の範囲を逸脱することなく、幾多の変更を加え得ることは当業者に明らかである。従って、上述したように、２つ以上の情報信号を１つの複合信号に併合して、データ圧縮することもできる。
さらに本発明は個々及びあらゆる新規の特徴又はこうした特徴の組合わせにある。
関連文献のリスト
（Ｄ１）  ＥＰ−Ａ４０２，９７３（ＰＨＮ１３．２４１）
（Ｄ２）  Huffmanによる論文「“A method for the construction of minimum-redundancy codes”, Proc. of the IRE, Vol.40(10),1952年9月。
（Ｄ３）  G.G.Langdonによる論文「“An introduction to arithmetic coding”, IBM J.Res.Develop., Vol.28(2),1984年3月。
（Ｄ４）  J. Ziv外による論文「“A universal algorithmfor sequential data compression”, IEEE Trans. on Inform. theory, Vol. IT-23, 1977年。
【図１】
0003945827.tif 000002
【図２】
0003945827.tif 000003
【図３】
0003945827.tif 000004
【図４】
0003945827.tif 000005
【図５】
0003945827.tif 000006
【図６】
0003945827.tif 000007
【図７】
0003945827.tif 000008
【図８】
0003945827.tif 000009
【図９】
0003945827.tif 000010
【図１０】
0003945827.tif 000011
【図１１】
0003945827.tif 000012
【図１２】
0003945827.tif 000013